(57)【要約】【課題】一般的な注射器を片手でスムーズに操作できるとともに、繊細な注射にも適切に対応できる注射器用のアダプタを提供する。【解決手段】シリンジ２１とプランジャ２２からなる注射器２に装着して用いられるアダプタ１であって、シリンジ２１に着脱可能に固定される固定部材３と、シリンジ２１に固定部材３を固定した場合に、シリンジ２１の中心軸方向に沿って移動するように固定部材３に移動可能に支持された可動部材４と、を備える。可動部材４は、プランジャ２２のヘッド部２６に係合される係合部９と、可動部材４を移動させるときに指で操作される操作部８とを有する構成した。【選択図】図２
2014030559.tif 000002
【特許請求の範囲】
【請求項１】
筒状のシリンジと、前記シリンジ内に挿入されるプランジャと、を備える注射器に装着して用いられる注射器用のアダプタであって、
前記シリンジに着脱可能に固定される固定部材と、
前記シリンジに前記固定部材を固定した場合に、前記シリンジの中心軸方向に沿って移動するように前記固定部材に移動可能に支持された可動部材と、
を備え、
前記可動部材は、前記プランジャに係合される係合部と、前記可動部材を移動させるときに指で操作される操作部とを有する
ことを特徴とする注射器用のアダプタ。
【請求項２】
前記アダプタを装着した状態の前記注射器をペン式の持ち方で保持しつつ、前記操作部を指で操作することにより、前記可動部材とともに前記プランジャを移動可能に構成した
ことを特徴とする請求項１に記載の注射器用のアダプタ。
【請求項３】
前記固定部材および前記可動部材が、それぞれ金属で構成されている
ことを特徴とする請求項１または２に記載の注射器用のアダプタ。
【請求項４】
前記固定部材は、前記可動部材を移動可能に支持する支持部を有し、
前記可動部材は、前記支持部に案内されて移動するスライド部材を有するとともに、前記操作部が前記スライド部材の移動方向において当該スライド部材との相対位置を調整可能に設けられている
ことを特徴とする請求項１〜３のいずれか一項に記載の注射器用のアダプタ。
【請求項５】
筒状のシリンジと、前記シリンジ内に挿入されるプランジャと、を備える注射器と、
前記シリンジに着脱可能に固定される固定部材と、前記シリンジに前記固定部材を固定した場合に、前記シリンジの中心軸方向に沿って移動するように前記固定部材に移動可能に支持された可動部材と、を備えるアダプタと、
を具備し、
前記可動部材は、前記プランジャに係合される係合部と、前記可動部材を移動させるときに指で操作される操作部とを有する
ことを特徴とする注射器ユニット。
【発明の詳細な説明】
【技術分野】
【０００１】
本発明は、シリンジとプランジャからなる注射器に装着して用いられる注射器用のアダプタおよび注射器ユニットに関する。
【背景技術】
【０００２】
一般に、医療機関や研究機関などでは、治療や実験などに注射器が使用されている。注射器は、シリンジとプランジャによって構成されている。この注射器に注射針を装着して予防接種等する場合、医師や看護師は次のような手順で注射している。
まず、注射器を手のひら側にして、人差し指と親指でシリンジを掴むように注射器を保持する。次に、注射器を保持する手の動きによって、目標とする位置（以下、「注射位置」という）に注射針を刺す。次に、注射針を刺したまま注射器を持ち替える。このとき、人差し指と中指の間にシリンジを挟むように注射器を保持する。次に、人差し指と中指をシリンジのフランジ部分に引っ掛けて、親指の操作によりプランジャを押し込む。その後、注射針を引き抜く。
【０００３】
このような注射の仕方とは別に、従来においては、片手で注射器を操作可能とするためのアダプタが提案されている（特許文献１を参照）。具体的には、アダプタ全体をスライド体とし、このスライド体の一端側にスライド操作部と当接板を設け、同他端側に係合部を設けている。そして、アダプタの係合部をプランジャの後端部に係合させるとともに、アダプタの当接板をシリンジの外周面に当接させて、スライド操作部を指で押し引きする構成となっている。
【先行技術文献】
【特許文献】
【０００４】
【特許文献１】特開平８−８０３５０号公報
【発明の概要】
【発明が解決しようとする課題】
【０００５】
ところで、医師等が注射する場合、注射する部位（対象物）によっては非常に繊細な作業が要求されることがある。具体的には、たとえば眼科の手術で眼科医が眼球に注射する場合に、水晶体、毛様体、チン小帯、網膜等を傷つけないように、注意深く注射する必要がある。特に、眼球に注射する場合は、注射位置（注射針を刺す位置）がほぼピンポイントで決まっている。また、注射する際に、患者に眼球を動かさないように注意しても、緊張のあまり不意に患者が眼球を動かしてしまうこともある。そのため、熟練した眼科医であっても、眼球への注射には、かなりの注意力と慎重さを必要としている。
【０００６】
このような繊細な注射を行う場合、上記特許文献１に記載されたアダプタ（以下、「従来のアダプタ」ともいう。）では適切に対応することができない。その理由は、以下のとおりである。
（１）従来のアダプタでは、当接板をシリンジの外周面に当接させ、その状態で親指の操作によりシリンジの外周面に当接板を押し付けながらアダプタ全体を移動させる仕組みになっている。このため、アダプタを移動させるときの摩擦抵抗が大きく、スライド操作部を指でスムーズに操作することが難しい。また、仮にアダプタの当接板を摩擦係数の小さい物質で構成しても、シリンジの外周面を擦りながらアダプタが移動する方式では、操作時の摩擦抵抗を十分に小さくすることができない。
（２）従来のアダプタでは、これが装着された注射器を４本の指（人差し指、中指、薬指、小指）で握り、親指をスライド操作部に乗せて操作する仕組みになっている。このため、注射針を刺すときに医師等が腕全体を動かす必要がある。その場合、注射器を握っている方の腕の動きが安定せず、注射針の針先が微妙に揺れるなどして、注射位置を外すおそれがある。
【０００７】
したがって、現状においては、眼科医等が次のような手順で眼球に注射している。
まず、筆記具を持つような持ち方で注射器を保持し、眼球の注射位置に針先を向けるかたちで患者の顔の上に手を乗せたり、手を置くための補助器などを利用したりして手の安定性を保つ。次に、注射器を持っている方の手を動かして眼球に注射針を刺す。次に、注射器を持ち替えてからプランジャを親指で押し込む。次に、眼球から注射針を抜く。
【０００８】
このような注射の仕方では、眼球に注射針を刺したまま注射器を持ち替えることになるため、注射針が動いて眼球の組織を傷つけるおそれがある。また、患者の精神的・肉体的な負担を軽減するには、素早く注射を終える必要があるが、実際には上述のような注意力と慎重さが要求されるうえ、注射器の持ち替えによる時間的なロスもあって、思いのほか眼球注射に時間がかかっている。
【０００９】
本発明の主な目的は、シリンジとプランジャからなる一般的な注射器を片手でスムーズに操作することができるとともに、繊細な注射にも適切に対応することができる注射器用のアダプタを提供することにある。
【課題を解決するための手段】
【００１０】
本発明は、上記の「一般的な注射器」を、筆記具を持つような「ペン式」の持ち方で保持しつつ、持ち替えなしに片手で簡単に操作可能にするという、これまでにない新しい着想に基づいてなされたものである。以下に、本発明の態様を示す。
【００１１】
本発明の第１の態様は、
筒状のシリンジと、前記シリンジ内に挿入されるプランジャと、を備える注射器に装着して用いられる注射器用のアダプタであって、
前記シリンジに着脱可能に固定される固定部材と、
前記シリンジに前記固定部材を固定した場合に、前記シリンジの中心軸方向に沿って移動するように前記固定部材に移動可能に支持された可動部材と、
を備え、
前記可動部材は、前記プランジャに係合される係合部と、前記可動部材を移動させるときに指で操作される操作部とを有する
ことを特徴とする注射器用のアダプタである。
【００１２】
本発明の第２の態様は、
前記アダプタを装着した状態の前記注射器をペン式の持ち方で保持しつつ、前記操作部を指で操作することにより、前記可動部材とともに前記プランジャを移動可能に構成した
ことを特徴とする上記第１の態様に記載の注射器用のアダプタである。
【００１３】
本発明の第３の態様は、
前記固定部材および前記可動部材が、それぞれ金属で構成されている
ことを特徴とする上記第１または第２の態様に記載の注射器用のアダプタである。
【００１４】
本発明の第４の態様は、
前記固定部材は、前記可動部材を移動可能に支持する支持部を有し、
前記可動部材は、前記支持部に案内されて移動するスライド部材を有するとともに、前記操作部が前記スライド部材の移動方向において当該スライド部材との相対位置を調整可能に設けられている
ことを特徴とする上記第１〜第３の態様のいずれかに記載の注射器用のアダプタである。
【００１５】
本発明の第５の態様は、
筒状のシリンジと、前記シリンジ内に挿入されるプランジャと、を備える注射器と、
前記シリンジに着脱可能に固定される固定部材と、前記シリンジに前記固定部材を固定した場合に、前記シリンジの中心軸方向に沿って移動するように前記固定部材に移動可能に支持された可動部材と、を備えるアダプタと、
を具備し、
前記可動部材は、前記プランジャに係合される係合部と、前記可動部材を移動させるときに指で操作される操作部とを有する
ことを特徴とする注射器ユニットである。
【発明の効果】
【００１６】
本発明によれば、シリンジとプランジャからなる一般的な注射器を片手でスムーズに操作することができるとともに、繊細な注射にも適切に対応することができる。
【図面の簡単な説明】
【００１７】
【図１】本発明の実施の形態に係る注射器用のアダプタの構成例を示す斜視図である。
【図２】図１に示すアダプタを注射器に装着した状態を示す斜視図である。
【図３】一般的な注射器の操作方法を説明する図である。
【図４】本発明の実施の形態に係るアダプタが装着された注射器の持ち方を示す斜視図である。
【図５】アダプタ付き注射器の動作を説明する図である。
【図６】眼球注射の手順の一例を説明するための図である。
【発明を実施するための形態】
【００１８】
以下、本発明の実施の形態について図面を参照しつつ詳細に説明する。
本発明の実施の形態においては、次の順序で説明を行う。
１．注射器用のアダプタの構成
２．注射器用のアダプタの使用方法
３．実施の形態の効果
４．変形例等
【００１９】
＜１．注射器用のアダプタの構成＞
図１は本発明の実施の形態に係る注射器用のアダプタの構成例を示す斜視図であり、図２はこのアダプタを注射器に装着した状態を示す斜視図である。ここでは、アダプタ１の構成を説明する前に、注射器２の構成を説明する。
【００２０】
（注射器の構成）
注射器２は、たとえば、医療機関や研究機関などで使用される汎用品である。注射器２は、図２に示すように、シリンジ２１とプランジャ２２を用いて構成されている。シリンジ２１の先端部には注射針２３が装着されている。注射針２３は、注射器２を使用する際に、必要に応じて装着されるものである。
【００２１】
シリンジ２１は、断面円形の筒状に形成されている。シリンジ２１は、硬質の透明なプラスチックで形成されている。シリンジ２１の後端部には、フランジ部２４が設けられている。フランジ部２４は、シリンジ２１の径方向に突出する状態で、シリンジ２１と一体に形成されている。また、シリンジ２１の先端部には図示しないノズル部が形成され、このノズル部に対して注射針２３が着脱可能となっている。
【００２２】
プランジャ２２は、シリンジ２１と組み合わせて用いられる可動式の押し子である。プランジャ２２の先端部には、ガスケット部２５が設けられている。ガスケット部２５は、ゴム状弾性を有するものである。ガスケット部２５は、シリンジ２１の筒内にプランジャ２２を挿入したときに、シリンジ２１の内周面に密着しつつ摺動し得るようになっている。
【００２３】
プランジャ２２は、ガスケット部２５を除いて、硬質のプラスチックで形成されている。プランジャ２２の後端部にはヘッド部２６が一体に形成されている。ヘッド部２６は、シリンジ２１の中心軸方向から見て円形に形成されている。また、ヘッド部２６は、プランジャ２２が挿入されるシリンジ２１の内径よりも大きな外径で円板状に形成されている。このため、プランジャ２２の後端部では、ヘッド部２６が径方向に突出した状態となっている。
【００２４】
ちなみに、アダプタ１を装着せずに注射器２だけで注射する場合は、図３に示すように、人差し指と中指をフランジ部２４に引っ掛けるようにして、これら２本の指でシリンジ２１を挟み込み、その状態で親指をヘッド部２６に当ててプランジャ２２を押し込む。これにより、シリンジ２１内の液体は、ガスケット部２５によって押されるため、注射針２３を通して外部に押し出されることになる。
【００２５】
（アダプタの構成）
アダプタ１は、注射器２に着脱可能に装着して用いられるものである。注射器２に対してアダプタ１を着脱可能とした理由は、一つのアダプタ１を複数の注射器２に順に付け替えて使用できるようにするためである。アダプタ１は、大きくは、固定部材３と可動部材４とを備えている。アダプタ１を構成する固定部材３および可動部材４は、それぞれ金属（好ましくは、ステンレス、チタンなど）で構成されている。
【００２６】
固定部材３は、注射器２のシリンジ２１に着脱可能に固定されるものである。固定部材３は、断面Ｃ字形に曲げられた板状体３ａを用いて構成されている。固定部材３は、注射器２にアダプタ１を装着する場合に、注射器２のシリンジ２１に固定される。板状体３ａの長さは、シリンジ２１の長さとほぼ同じ寸法に設定されている。板状体３ａの両端部にはクリップ片５が設けられている。クリップ片５は、板状体３ａの内周側の面に、たとえば溶接、接着、かしめなどによって固定されている。クリップ片５は、適度なバネ性を奏するように板バネで構成されている。クリップ片５は、板状体３ａと同様に略Ｃ字形に曲げられている。クリップ片５の両端部５ａは、シリンジ２１を受け入れやすいように外開き状に屈曲している。また、板状体３ａの一端部には支持部６が設けられている。支持部６は、板状体３ａの外周側の面に、たとえば溶接、接着、かしめなどによって固定されている。また、支持部６は、板状体３ａの長さ方向の一端部に設けられている。
【００２７】
可動部材４は、シリンジ２１に固定部材３を固定した場合に、プランジャ２２の中心軸方向に沿って移動するように固定部材３に移動可能に支持されている。可動部材４は、スライドバー７と、操作部８と、係合部９とを有している。スライドバー７は、スライド部材として設けられたもので、支持部６に案内されてＸ方向に移動（スライド）するようになっている。スライドバー７は、支持部６に設けられた円形の貫通孔に挿入されることにより、Ｘ方向に移動（スライド）可能に支持されている。スライドバー７は、上記貫通孔の孔形状にあわせて断面円形に形成されている。
【００２８】
操作部８は、スライドバー７の一端部に設けられている。操作部８の下面は、スライドバー７とともに、固定部材３（板状体３ａ）の外面に近接する状態、または軽く接触する状態に配置されている。固定部材３の板状体３ａにはＸ方向に沿って溝１３が形成されており、この溝１３に対して、操作部８の下面側から突出するガイド片１４を係合することにより、操作部８が溝１３に案内されてＸ方向に移動するようになっている。また、操作部８が移動する際には、ガイド片１４がシリンジ２１の外周面に接触しないようになっている。操作部８は、アダプタ１が装着された注射器（以下、「アダプタ付き注射器」ともいう。）２を取り扱う場合に、指先（指の腹）を乗せて、指の動きにより操作される部分である。本形態例においては、操作部８を操作するときの指の動きが、操作部８をＸ方向に移動させる動きになっている。操作部８は、アダプタ１を注射器２に装着した場合に、シリンジ２１の中心軸方向においてガスケット部２５とほぼ同じ位置に配置される。操作部８の表面（上面）は、そこに指先を乗せたときのフィット感を高めるために、緩やかなカーブを描いて凹面状にへこんだ状態で形成されている。また、操作部８の表面には滑り止め処理が施されている。具体的には、滑り止め処理の一例として、操作部８の表面に多数の小さな凹凸、さらに詳しくは可動部材４の移動方向と直交する向きで縞模様の凹凸が形成され、これによって操作部８の表面状態が、いわゆるギザギザの状態になっている。
【００２９】
ただし、操作部８の滑り止め処理としては、これに限らず、たとえば、操作部８の表面にドット状の凹凸を形成してもよいし、指を引っ掛けるための突出部を形成してもよい。また、操作部８の滑り止め処理は、本発明を実施するうえで好ましい形態ではあるが、本発明の課題を解決するうえで必須の事項ではない。
【００３０】
係合部９は、プランジャ２２に係脱可能に係合されるものである。係合部９は、アダプタ１を注射器２に装着する場合に、プランジャ２２の後端部（ヘッド部２６）に係合される。係合部９は、スライドバー７の他端部（操作部８とは反対側）に設けられている。係合部９は、スライドバー７の端部に、たとえば圧入、ネジ止め等によって固定されている。係合部９は、全体に板状に形成されるとともに、その肉厚を部分的に薄くするかたちで段付きの受け部１０を有している。受け部１０は、ヘッド部２６の形状および寸法に対応して形成されている。受け部１０には円形の孔１１が形成されている。孔１１は、アダプタ１を軽量化し、かつ操作性を良くするために、受け部１０を厚み方向に貫通する状態で形成されている。また、係合部９には、押さえ片１２が設けられている。押さえ片１２は、受け部１０との間にプランジャ２２のヘッド部２６を挟んで支持（挟持）するものである。押さえ片１２は、適度なバネ性を奏するように板バネで構成されている。押さえ片１２は、たとえば図示しないネジを用いて係合部９に固定されている。押さえ片１２は、自身のバネ性により、受け部１０に対して接近離間する方向に弾性変形可能に設けられている。また、押さえ片１２の一部は、受け部１０側に凸となる形態で略Ｕ字形に曲げられており、その凸部分が受け部１０に接触または近接した状態に配置されている。
【００３１】
＜２．注射器用のアダプタの使用方法＞
続いて、本発明の実施の形態に係る注射器用のアダプタの使用方法について説明する。
【００３２】
（アダプタの装着）
まず、アダプタ１を注射器２に装着する場合は、上記図２に示すように、プランジャ２２のヘッド部２６を係合部９に係合させるとともに、シリンジ２１を固定部材３の各クリップ片５に挟持させる。このとき、係合部９に対しては、押さえ片１２のバネ力に抗してプランジャ２２のヘッド部２６を、受け部１０と押さえ片１２との間に押し込むことにより、受け部１０の段付き部分にヘッド部２６を突き当てるようにする。これにより、係合部９は、押さえ片１２のバネ力をもってプランジャ２２のヘッド部２６に係合された状態となる。また、固定部材３に対しては、一対のクリップ片５の両端部５ａにシリンジ２１を沿わせた状態で、固定部材３の内側にシリンジ２１を押し込むようにする。これにより、固定部材３は、一対のクリップ片５のバネ力をもってシリンジ２１に固定された状態となる。
【００３３】
なお、アダプタ１を注射器２に装着するタイミングは、下記に例示するタイミングを含めて、注射器２の用途に応じて任意に設定可能である。
（１）シリンジ２１に液体を吸入する前のタイミング。
（２）シリンジ２１に液体を吸入した後のタイミング。
（３）シリンジ２１の先端部に注射針２３を装着する前のタイミング。
（４）シリンジ２１の先端部に注射針２３を装着した後のタイミング。
【００３４】
また、アダプタ１を注射器２から取り外す場合は、一対のクリップ片５のバネ力に抗してシリンジ２１を固定部材３から取り外すとともに、押さえ片１２のバネ力に抗してヘッド部２６を係合部９から取り外すようにすればよい。
【００３５】
（アダプタ付き注射器の持ち方）
図４は本発明の実施の形態に係るアダプタが装着された注射器の持ち方を示す斜視図である。
図示のように、アダプタ１が装着された注射器（以下「アダプタ付き注射器」ともいう）２の持ち方は、鉛筆、ボールペンなどの筆記具を持つ場合と同様の「ペン式」の持ち方となっている。ここで記述する「ペン式」の持ち方とは、人差し指、中指および親指を使って、それら３本の指の間に対象物を掴む（挟む）ように持つ方式をいう。この持ち方にすると、アダプタ付き注射器２の後端側を、人差し指と親指の股の部分で受けて支持することになる。
【００３６】
ちなみに、図４においては、人差し指と親指が形成する略Ｃ字形の空間にシリンジ２１のフランジ部２４が存在しているが、実際には、注射器２の中心軸方向においてフランジ部２４が形成されている部分（支持部６の近傍）を、人差し指と親指の股の部分で受けて支持する状態となることが望ましい。その理由は、アダプタ付き注射器２を操作するときに、プランジャ２２が手に接触するなどして、スライドバー７の移動が妨げられるおそれがあるからである。
【００３７】
（アダプタ付き注射器の動作）
次に、アダプタ付き注射器の動作について図５を用いて説明する。
まず、図５（Ａ）に示すようにシリンジ２１にプランジャ２２を押し込んだ状態のもとで、可動部材４をＸ１方向に移動（スライド）させると、可動部材４と一緒にプランジャ２２がＸ１方向に移動する。このため、図５（Ｂ）に示すように、プランジャ２２がシリンジ２１から引き込まれた状態となる。このとき、プランジャ２２の引き込み量は、前述した可動部材４の移動量に対応したものとなる。
【００３８】
一方、図５（Ｂ）に示すようにシリンジ２１からプランジャ２２を引き込んだ状態のもとで、可動部材４をＸ２方向に移動させると、可動部材４と一緒にプランジャ２２がＸ２方向に移動する。このため、図５（Ａ）に示すように、プランジャ２２がシリンジ２１に押し込まれた状態となる。このとき、可動部材４の移動終端は、プランジャ２２のガスケット部２５がシリンジ２１の先端側に突き当たったところで規制される。
【００３９】
（使用例）
次に、アダプタ付き注射器の使用例について説明する。
ここでは一例として、眼科医が眼科手術で眼球に注射する場合に適用可能なアダプタ付き注射器の使用例について説明する。ただし、以下に記載する手順はあくまで一例であって、必ずしもこの順番通りに使用しなくてもよい。
【００４０】
まず、注射の準備として、注射器２のシリンジ２１内に規定量の薬液を吸入する。たとえば、医薬品メーカーから提供された薬液が、バイアル瓶、アンプル等の密封容器に入っている場合は、この密封容器に注射針（注射針２３とは別）を挿入し、プランジャ２２の引き込み操作によってシリンジ２１内に薬液を吸入する。
【００４１】
次に、薬液の吸入時に使用した注射針をシリンジ２１から取り外し、これに代えてシリンジ２１の先端部に注射針２３を装着する。次に、アダプタ１を注射器２に装着した後、操作部８または係合部９を操作して空気抜きを行う。ちなみに、眼球注射に使用する注射針２３の長さは、通常の注射針の長さよりも短くなっている。その理由は、眼球注射をするときに注射針２３が長いと、注射器２が取り扱いにくくなるためである。
【００４２】
次に、図６（Ａ）に示すように、開瞼器３１で大きく露出させた眼球３２の角膜輪部３３から注射位置３４までの距離（３．５〜４．０ｍｍ）を測定器３５によって測定することにより、注射位置３４を特定する。
【００４３】
次に、アダプタ付き注射器２を上記図４のように片手で保持し、その手の小指側の側面を患者の顔（額など）の上に乗せる。このとき、注射針２３の針先を、先ほど特定した注射位置に向ける。
【００４４】
次に、注射針２３の針先を注射位置３４に近づけた後、眼球１の動きに注意を払いながら、アダプタ付き注射器２を持っているほうの手を素早く動かすことにより、図６（Ｂ）に示すように注射針２３を注射位置３４に刺す。
【００４５】
次に、アダプタ付き注射器２の操作部８に乗せた人差し指を動かすことにより、上記図５（Ｂ）に示すように可動部材４をＸ２方向に移動させる。これにより、可動部材４の移動にしたがってプランジャ２２が押し込まれる。このため、シリンジ２１内の薬液が注射針２３を通して眼球３２内に投与される。
【００４６】
次に、アダプタ付き注射器２を持っているほうの手を先ほど反対方向に動かすことにより、注射針２３を眼球３２から引き抜く。以上で、眼球注射が完了となる。眼球注射を終えた後は、アダプタ１を注射器２から取り外す。その後は、次回の使用のための準備として、適切なタイミングでアダプタ１に殺菌消毒等の処理を施す。
【００４７】
＜３．実施の形態の効果＞
本発明の実施の形態に係る注射器用のアダプタ１によれば、筆記具を持つような「ペン式」の持ち方でアダプタ付き注射器２を保持しながら、操作部８を人差し指で操作することにより可動部材４を移動させることができる。その際、可動部材４は、シリンジ２１に固定された固定部材３に支持されて移動する。このため、前述した従来のアダプタのように、アダプタの一部をシリンジの外周面に押し付けながら移動（摺動）させる場合に比べて、操作時の摩擦抵抗が非常に小さくなる。したがって、可動部材４をスムーズに移動させることができる。特に、固定部材３に設けた溝１３で可動部材４の移動を案内する構成とした場合は、操作部８に余計な力を加える必要がないため、操作の確実性を上げることができる。また、「ペン式」の持ち方でアダプタ付き注射器２を保持した場合は、主に手の動きを利用して注射針を刺し、そのまま持ち替えなしで薬液を投与することができる。このため、注射器２を片手でスムーズに操作することができるとともに、繊細な注射にも適切に対応することができる。
【００４８】
これにより、一般的な注射器２を使用して眼球注射を行う場合に、少なくとも注射針２３を刺す動作から薬液を投与するまでの動作を、持ち替えなしに片手で簡単かつ連続的に行うことができる。このため、眼球注射の所要時間を短縮して、患者の精神的・肉体的な負担を軽減することができる。また、持ち替えの際に注射針が動いて眼球の組織を傷つけるおそれもなくなる。また、「ペン式」の持ち方は、眼科医が他の手術器具（たとえば、鑷子、レーザープローブなど）を取り扱うときの持ち方と同じである。このため、眼科医は、慣れた持ち方で眼球注射を行うことができる。これにより、眼科手術に熟練した眼科医はもちろん、比較的経験の浅い眼科医でも、眼球注射を容易に行うことができる。
【００４９】
また、本実施の形態のアダプタ１では、固定部材３の支持部６により可動部材４を移動可能に支持することで、固定部材３とは独立して可動部材４が移動する構成になっている。このため、操作部８に加えた指の力を、係合部９とヘッド部２６の係合部分に効率よく伝えることができる。したがって、従来のアダプタを使用する場合よりも軽い力でプランジャ２２を動かすことができる。その結果、注射器２の片手操作が楽になることはもちろん、操作部８に加える指の力を適宜加減することにより、プランジャ２２の押し込み速度（薬液の注入速度）を調整することが可能となる。特に、眼球注射の場合は、１回の注射で投与する薬液の量が比較的少なく、使用する注射器２も細身（小容量）のタイプであるため、薬液の注入速度を調整可能となるメリットが非常に高い。
【００５０】
また、本実施の形態のアダプタ１は、固定部材３および可動部材４を含めて、全体が金属で構成されている。このため、アダプタ１を医療用途などで使用する場合に、殺菌消毒等に対して十分な耐性（耐薬品性、耐熱性等）をもたせることができる。また、アダプタ１の繰り返し使用に対する耐久性、移動操作の円滑性、長期にわたる動作の安定性などの観点でも、アダプタ１を金属で構成した方が好ましい。ただし、本発明を実施するにあたって、アダプタ１は、その全てを金属で構成したものに限らず、その一部または全部を樹脂で構成してもかまわない。
【００５１】
また、アダプタ１の改良品として、以下のような構成を採用することも可能である。
すなわち、スライドバー７の移動方向Ｘにおいて、スライドバー７と操作部８の相対位置を調整可能な構成としてもよい。具体的には、たとえば、スライドバー７と操作部８の結合をネジ締結等とするとともに、スライドバー７および操作部８の少なくとも一方に、ネジ締結のためのネジ孔を複数箇所にわたって設け、いずれのネジ孔を使用して両者を結合するかにより、両者の相対位置をＸ方向に変更可能に構成する。この構成を採用した場合は、スライドバー７の移動方向Ｘにおいて、操作部８を設ける位置を調整することが可能となる。このため、アダプタ付き注射器２を使用する医師等の手の大きさなどにあわせて操作部８の位置を調整することができる。これにより、アダプタ付き注射器２を使用する場合に、指を操作部８に乗せたときのフィット感が高まり、良好な操作性が得られる。
【００５２】
また、スライドバー７に対して操作部８を交換可能な構成としてもよい。具体的には、たとえば、スライドバー７と操作部８の結合をネジ締結等とすることにより、操作部８を交換可能な構成とする。この構成を採用した場合は、たとえば、アダプタ付き注射器２を使用する医師等の手の大きさや指の長さ・太さなどを考慮して、操作部８の大きさや形状等が異なる幾つかの交換品（操作部８）を用意しておく。これにより、交換品の中から医師等が最も使いやすいと感じる操作部８を選んで使用することができる。このため、操作性に優れたアダプタ１を提供することが可能となる。
【００５３】
＜４．変形例等＞
なお、本発明の技術的範囲は上述した実施の形態に限定されるものではなく、発明の構成要件やその組み合わせによって得られる特定の効果を導き出せる範囲において、種々の変更や改良を加えた形態も含む。
【００５４】
たとえば、上記実施の形態においては、アダプタ付き注射器２を片手で保持した場合に、人差し指で操作部８を操作するものとしたが、これに限らず、人差し指に代えて親指で操作部８を操作してもよい。
【００５５】
また、上記実施の形態においては、操作部８を操作するときの指の動きが、操作部８をＸ方向に移動させる動きになっているが、本発明はこれに限らない。たとえば、図示はしないが、操作部として押下式の操作ボタンを設け、この操作ボタンを指で押す動きに連動して、可動部材４がプランジャ２２とともにＸ方向に移動する構成を採用してもよい。
【００５６】
また、本発明に係るアダプタは、医療や研究（実験）などの用途に限らず、これ以外の用途にも広く適用することが可能である。
また、本発明は、上記のアダプタ１と注射器２とを組み合わせた構成の注射器ユニットとして実現することも可能である。
【符号の説明】
【００５７】
１…アダプタ
２…注射器
３…固定部材
４…可動部材
５…クリップ片
６…支持部
７…スライドバー
８…操作部
９…係合部
１０…受け部
１２…押さえ片
２１…シリンジ
２２…プランジャ
２３…注射針
２６…ヘッド部
【図１】
2014030559.tif 000003
【図２】
2014030559.tif 000004
【図３】
2014030559.tif 000005
【図４】
2014030559.tif 000006
【図５】
2014030559.tif 000007
【図６】
2014030559.tif 000008